(57)【要約】      （修正有）【課題】紙ワイパーを、破れることなく滑らかに取り出すことができ、ドロップバックが生じにくい紙ワイパー収納箱を提供する。【解決手段】ポップアップ方式で折り畳まれた紙ワイパーを収容し、上面１０ａに設けられた開口部１３から紙ワイパーを取り出す直方体の紙ワイパー収納箱１０であって、開口部が、上面の中心を中心とし、直方体の長辺方向Ｘに長い略平行四辺形であり、略平行四辺形を構成する２組の対応する辺のうち、１方が直方体の長辺方向Ｘに平行な直線であり、他方の組が開口部内部へ向かって凸状の曲線であり、開口部の鋭角である２つの角部がＲ形状であり、開口部の角部に、上面から連続して、角部の形状に対応した凸状片が変形可能に設けられており、凸状片と角部との間で紙ワイパーを支持する紙ワイパー収納箱である。【選択図】図１
2020196490.tif 000002
【特許請求の範囲】
【請求項１】
ポップアップ方式で折り畳まれた紙ワイパーを収容する直方体の収納箱からなり、前記収納箱の上面に設けられた開口部から前記紙ワイパーを取り出す紙ワイパー収納箱であって、
前記開口部が、前記上面の中心を中心とし、前記直方体の長辺方向に長い平行四辺形であり、前記平行四辺形を構成する２組の対応する辺のうち、一方の組が前記直方体の長辺方向に平行な直線であり、他方の組が前記開口部内部へ向かって凸状の曲線であり、前記開口部の鋭角である２つの角部がＲ形状であり、
前記開口部の前記角部に、前記上面から連続して、前記角部の形状に対応した凸状片が変形可能に設けられており、前記凸状片と前記角部との間で前記紙ワイパーを支持する紙ワイパー収納箱。
【請求項２】
前記凸状片が、前記平行四辺形の前記直線側に前記上面と連続する領域を有する請求項１記載の紙ワイパー収納箱。
【請求項３】
前記開口部の前記長辺方向の長さが、前記紙ワイパー収納箱の長辺方向の長さの６０％以上９５％以下である請求項１又は２記載の紙ワイパー収納箱。
【請求項４】
前記中心における前記曲線間の最短距離が、３０ｍｍ以上である請求項１から３いずれか１項記載の紙ワイパー収納箱。
【請求項５】
前記紙ワイパー収納箱の、長辺方向の長さが３００ｍｍ以上５５０ｍｍ以下であり、短辺方向の長さが１００ｍｍ以上１３０ｍｍ以下である請求項１から４いずれか１項記載の紙ワイパー収納箱。
【請求項６】
前記紙ワイパー収納箱の原紙坪量が、２６０ｇ／ｍ２以上５００ｇ／ｍ２以下である請求項１から５いずれか１項記載の紙ワイパー収納箱。
【請求項７】
ポップアップ方式で折り畳まれた紙ワイパーと、該紙ワイパーを収容する請求項１から６いずれか１項記載の紙ワイパー収納箱とからなる紙ワイパー入り収納箱。
【請求項８】
前記紙ワイパーの坪量が、１８ｇ／ｍ２以上４０ｇ／ｍ２下である請求項７記載の紙ワイパー入り収納箱。
【請求項９】
前記開口部の前記長辺方向の長さが、前記紙ワイパーの前記長辺方向の長さの７０％以上９８％以下である請求項７又は８記載の紙ワイパー入り収納箱。
【発明の詳細な説明】
【技術分野】
【０００１】
本発明は、紙ワイパー収納箱及び紙ワイパー入り収納箱に関する。
【背景技術】
【０００２】
近年、薄葉紙が紙等の収容箱（収納箱）に収容されたティッシュ収納箱は、軽量化及びコンパクト化が進められている。生産者にとっては、収納箱の生産コスト、製品輸送コストを削減することができ、消費者にとっては、商品購入時の持ち帰り作業の簡易化、及び、家での保管スペースの削減等が可能となる。
一方、工業用の紙ワイパー製品もティシュと同様に収納箱に収容され、簡便にシートを取り出せる製品がある。工業用紙ワイパーの場合、一般的なティシュと異なり、寸法や紙シートの剛性等の物性が異なっても使用感の良い製品が求められている。
【先行技術文献】
【特許文献】
【０００３】
【特許文献１】特開２０００−５３１７６号公報
【発明の概要】
【発明が解決しようとする課題】
【０００４】
しかしながら、紙ワイパーは、一般的なティシュと異なり、ふき取り時に破れにくくするため、坪量（目付）を高く、高強度に仕上げられているため、剛性が高く、収納箱から取出し難いシートとなっている。また、ふき取りの際に、紙粉による汚れを防止するため、紙ワイパーが取出し口で強く擦れないよう、スムーズに取り出せる必要がある。さらに工業用ワイパーには著しくシート幅が広い製品もあり、取出し抵抗を下げるとポップアップ性が悪化し、次シートが収納箱に落下してしまう（ドロップバック）問題がある。
【０００５】
一方で、一般的なティシュに設けられている取出し口のフィルムは著しくシート幅が広い製品の収納箱に設置するには大幅な加工設備の変更が必要であり、環境面からもプラスチック部品を減量することが望ましく、取出し口のフィルムがない広幅紙ワイパー用収納箱が必要となっている。
【０００６】
本発明は、上記事情に鑑みてなされたものであり、紙ワイパーがフィルムレス収納箱に収容された場合において、紙ワイパーが破れることなく滑らかに取り出すことができ、ドロップバックが生じにくい紙ワイパー収納箱及び紙ワイパー入り収納箱を提供することを目的とする。
【課題を解決するための手段】
【０００７】
本発明の発明者は、鋭意検討を行った結果、収納箱の取出し口を特定の形状とすることにより、広幅のフィルムレス収納箱から紙ワイパーを破れることなく滑らかに取り出すことができることを見出し、本発明に至った。
【０００８】
すなわち、本発明は、ポップアップ方式で折り畳まれた紙ワイパーを収容する直方体の収納箱からなり、前記収納箱の上面に設けられた開口部から前記紙ワイパーを取り出す紙ワイパー収納箱であって、前記開口部が、前記上面の中心を中心とし、前記直方体の長辺方向に長い略平行四辺形であり、前記平行四辺形を構成する２組の対応する辺のうち、一方の組が前記直方体の長辺方向に平行な直線であり、他方の組が前記開口部内部へ向かって凸状の曲線であり、前記開口部の鋭角である２つの角部がＲ形状であり、前記開口部の前記角部に、前記上面から連続して、前記角部の形状に対応した凸状片が変形可能に設けられており、前記凸状片と前記角部との間で前記紙ワイパーを支持する紙ワイパー収納箱である。
【０００９】
前記凸状片は、前記平行四辺形の前記直線側に前記上面と連続する領域を有することが好ましい。
【００１０】
前記開口部の前記長辺方向の長さは、前記紙ワイパー収納箱の長辺方向の長さの６０％以上９５％以下であることが好ましい。
【００１１】
前記中心における曲線間の最短距離は、３０ｍｍ以上であることが好ましい。
【００１２】
前記紙ワイパー収納箱の、長辺方向の長さは３００ｍｍ以上５５０ｍｍ以下であり、短辺方向の長さは１００ｍｍ以上１３０ｍｍ以下であることが好ましい。
【００１３】
前記紙ワイパー収納箱の原紙坪量は、２６０ｇ／ｍ２以上５００ｇ／ｍ２以下であることが好ましい。
【００１４】
本発明の紙ワイパー入り収納箱は、ポップアップ方式で折り畳まれた紙ワイパーと、該紙ワイパーを収容する本発明の紙ワイパー収納箱とからなるものである。
【００１５】
本発明の紙ワイパー入り収納箱において、前記紙ワイパーの坪量は、１８ｇ／ｍ２以上４０ｇ／ｍ２以下であることが好ましい。
【００１６】
開口部の長辺方向の長さは、紙ワイパーの長辺方向の長さの７０％以上９８％以下であることが好ましい。
【発明の効果】
【００１７】
本発明によれば、紙ワイパーがフィルムレスの収納箱に収容された紙ワイパー入り収納箱において、蓋部開封時に収納箱が破れにくく、紙ワイパーを、破れることなく滑らかに取り出すことができ、かつドロップバックが生じにくい。
【図面の簡単な説明】
【００１８】
【図１】本発明の紙ワイパー入り収納箱の一実施形態を示す斜視図ある。
【図２】本発明における収納箱の上面図である。
【図３】本発明の紙ワイパー入り収納箱の一実施形態を示す斜視図である。
【図４】図３におけるＹ−Ｙ断面図である。
【図５】紙ワイパーの他の折り方を示す断面図である。
【発明を実施するための形態】
【００１９】
以下、添付図面を参照して、本発明を実施するための形態について、詳細に説明する。なお、本発明の実施形態の説明の全体を通して、同じ要素には同じ符号を付している。
【００２０】
［紙ワイパー収納箱］
図１に、本発明の紙ワイパー収納箱１０に紙ワイパー３１が収納された紙ワイパー入り収納箱３０の一実施形態を示す斜視図を示す。
図１に示すように、本実施形態の紙ワイパー収納箱１０は、紙ワイパー収納箱１０の上面１０ａに設けられた開裂用ミシン目１１に沿って蓋部１２を取り除くことによって露出する開口部１３から紙ワイパー３１を取り出すものである。
以下、紙ワイパー収納箱１０と、紙ワイパー３１の詳細について説明する。
【００２１】
（収納箱）
本発明の紙ワイパー入り収納箱３０における紙ワイパー収納箱１０は、紙製の直方体である。
−紙ワイパー収納箱のサイズ−
図１に示すように、紙ワイパー収納箱１０の長辺方向Ｘの長さＬＣは、３００ｍｍ以上５５０ｍｍ以下であることが好ましく、３３０ｍｍ以上５２０ｍｍ以下であることがより好ましい。
また、紙ワイパー収納箱１０の短辺方向Ｙの長さＷＣは、１００ｍｍ以上１３０ｍｍ以下であることが好ましく、１０５ｍｍ以上１２５ｍｍ以下であることがより好ましい。
またさらに、紙ワイパー収納箱１０の高さＨＣは、７０ｍｍ以上１１０ｍｍ以下であることが好ましく、８０ｍｍ以上１００ｍｍ以下であることがより好ましい。
長辺方向Ｘの長さＬＣ及び短辺方向Ｙの長さＷＣの好ましい組み合わせは、長辺方向Ｘの長さＬＣが３００ｍｍ以上５５０ｍｍ以下であり、短辺方向Ｙの長さＷＣが１００ｍｍ以上１３０ｍｍ以下である。
【００２２】
−開口部−
開口部１３は、図２に示すように、上面１０ａの中心Ｏを中心とし、直方体の長辺方向Ｘに長い略平行四辺形であり、平行四辺形を構成する２組の対応する辺（２１ａ、２１ｂ、２２ａ、２２ｂ）のうち、一方の組（２１ａ、２１ｂ）が直方体の長辺方向に平行な直線であり、他方の組（２２ａ、２２ｂ）が開口部１３内部へ向かって凸状の曲線である。
そして、開口部１３の鋭角である２つの角部（２３ａ、２３ｂ）がＲ形状である。開口部１３の角部（２３ａ、２３ｂ）に、上面１０ａから連続して、角部（２３ａ、２３ｂ）の形状に対応した凸状片（１４ａ、１４ｂ）が変形可能に設けられている。凸状片（１４ａ、１４ｂ）と角部（２３ａ、２３ｂ）との間で紙ワイパー３１を支持する。
【００２３】
辺２２ａ及び２２ｂが、開口部１３内部に向かって凸状の曲線であることにより、開口部１３から取り出した紙ワイパー３１が、この２つの辺の間で支えられるので、ドロップバックを防止することができる。
【００２４】
図２に示すように、中心における曲線間の最短距離、すなわち、辺２２ａと辺２２ｂとの間の最短距離Ｄは、３０ｍｍ以上であることが好ましく、上限は、５０ｍｍであることが好ましい。辺２２ａと辺２２ｂとの間の最短距離が、３０ｍｍ以上であることにより、紙ワイパー３１の一枚目を把持しやすい。また、上限が５０ｍｍ以下であることにより、異物が混入しにくくなる。
【００２５】
凸状片１４ａは、点Ｍ１から点Ｎ１までの曲線の辺２４ａと、点Ｍ１から点Ｑ１までの辺２５ａとから構成される。凸状片１４ａは、辺２４ａ及び２５ａに形成された開裂用ミシン目１１を破ることによって、上面１０ａから変形可能となる。凸状片１４ａが、変形可能であることにより、開口部１３から取り出した紙ワイパー３１を凸状片（１４ａ、１４ｂ）と角部（２３ａ、２３ｂ）との間に紙ワイパー３１を介在させて、支持するものである。
凸状片１４ａの立ち上がり角度を調整することにより、紙ワイパー３１の取出しやすさを調整することができる。
【００２６】
開口部１３の角部２３ａ及び２３ｂが、例えば単なる直線の切込線である場合には、紙ワイパー３１を取り出した際、切込線に紙ワイパー３１が完全に挟まれてしまい、紙ワイパー３１が破れる、又は抵抗が高くなって紙粉が多く発生する。しかしながら、本発明では、開口部１３の両端の角部（２３ａ、２３ｂ）がＲ形状であり、上面１０ａから連続して、角部（２３ａ、２３ｂ）の形状に対応した凸状片（１４ａ、１４ｂ）が変形可能に設けられていることにより、開口部から取り出された紙ワイパー３１が完全に挟まれてしまうのを防止しながら、紙ワイパー３１がドロップバックするのを防止することができる。また、紙ワイパー３１が、角部２３ａと凸状片１４ａとの間の摩擦によって紙粉が発生するのを最小限に防止することができる。
【００２７】
さらに、本実施形態では、辺２２ａと辺２５ａとが互いに凸状の曲線であるが、このような形状であることにより、紙ワイパー３１を取り出す際に、点Ｍに向かって紙ワイパー３１を２つの辺で誘導することができ、凸状片１４ａと角部２３ａとで紙ワイパー３１を支持することできる。
【００２８】
図１に示すように、開口部１３の長辺方向Ｘの長さＬ１３は、開口部１３の強度を保つ観点から、紙ワイパー収納箱１０の長辺方向Ｘの長さＬｃの６０％以上９５％以下であることが好ましい。
また、開口部１３の長辺方向Ｘの長さＬ１３は、紙ワイパー３１を引出す際に紙ワイパー３１が破れる、又は紙粉が発生するのを防止する観点から、紙ワイパー３１の長辺方向の長さＬ３１の７０％以上９８％以下であることが好ましい。
さらに、開口部１３の短辺方向Ｙの長さＷ１３は、開口部１３の強度を保つ観点から、紙ワイパー収納箱１０の短辺方向Ｙの長さＷｃの３０％以上７０％以下であることが好ましい。
【００２９】
辺２４ａのＲ値は、紙ワイパー３１が角部２３ａと凸状片１４ａとの間で良好に支持され、かつ紙粉の発生を防止する観点から、１０ｍｍ以上２０ｍｍ以下であることが好ましい。
また、辺２５ａのＲ値は、紙ワイパー３１を辺２２ａとの間で良好に点Ｍまで誘導するという観点から、５０ｍｍ以上７０ｍｍ以下であることが好ましい。
【００３０】
点Ｎから点Ｐまでの直線の切込は、６ｍｍ以上３０ｍｍ以下であることが好ましい。
また、点Ｐと点Ｑとの間の領域１５ａは、凸状片１４ａが、上面１０ａから連続する領域である。この領域は、平行四辺形の直線（２１ａ、２１ｂ）側に位置することが好ましい。直線（２１ａ、２１ｂ）側に位置することにより、凸状の辺２５ａと辺２２ａとが向かい合うようにすることができるため、上記したように、点Ｍに向かって紙ワイパー３１を２つの辺で誘導することができる。
【００３１】
開口部１３の、点Ｑにおける短辺方向Ｙの開口幅ｄは、紙ワイパー３１の取出しやすさと、紙粉の発生を防止する観点から、１０ｍｍ以上２０ｍｍ以下であることが好ましい。また、紙ワイパー収納箱１０の短辺方向Ｙの長さの８％以上１７％以下であることが好ましい。
【００３２】
上記では、角部２３ａ及び２３ｂのうち２３ａについて説明したが、もう一方の角部２３ｂについても同様である。
【００３３】
−坪量−
紙ワイパー収納箱１０の紙の坪量は、２６０ｇ／ｍ２以上５００ｇ／ｍ２以下であることが好ましく、３５０ｇ／ｍ２以上４５０ｇ／ｍ２以下であることが好ましい。紙ワイパー収納箱１０の坪量を上記の範囲内のものとすることにより、凸状片（１４ａ、１４ｂ）が、紙ワイパー３１を取り出す際に適度にしなり、紙ワイパー３１の取り出しやすさが良化し、破れやすさが低減する。また、紙ワイパー収納箱１０の強度を維持して紙ワイパー収納箱１０を潰れにくくできるとともに、紙ワイパー収納箱１０の製函性も良好に維持される。
なお、製函性とは、紙ワイパー収納箱１０を二つ折りにした状態から四角柱状の筒体に変形させる際の起函しやすさや、起函後に紙ワイパー収納箱１０に紙ワイパー３１の積層体を収容（充填）する際、短辺側フラップ及び高さ側フラップを折り重ねる際の開口の封緘しやすさをいう。
なお、紙ワイパー収納箱１０の坪量は、ＪＩＳ  Ｐ  ８１２４に基づいて測定する。
【００３４】
［紙ワイパー入り収納箱］
本発明の紙ワイパー入り収納箱３０は、図４に示すように、ポップアップ方式で折り畳まれた紙ワイパー３１と、紙ワイパー３１を収容する直方体の紙ワイパー収納箱１０とからなる。
紙ワイパー収納箱１０については、すでに記載しているため、ここでは紙ワイパー３１について説明する。
【００３５】
（紙ワイパー）
−紙厚、坪量−
本発明の紙ワイパー３１における、紙厚は、０．７ｍｍ／１０枚以上１．８ｍｍ／１０枚以下であり、１．３ｍｍ／１０枚以上１．７ｍｍ／１０枚以下であることが好ましい。なお、上記の紙厚は、１プライのシートを１０枚重ねたときの紙厚を示す。
【００３６】
また、本発明の紙ワイパー３１における、シート１プライあたりの坪量は、１８．０ｇ／ｍ２以上４０．０ｇ／ｍ２以下であることが好ましく、２０．ｇ／ｍ２以上３５．０ｇ／ｍ２以下であることがより好ましい。
本発明においては、紙ワイパー３１の紙厚やシート１プライあたりの坪量が上記の範囲内の剛性高いワイパー紙であっても、取出し負荷が低く、シート枚数が減っても収納箱内にシートが落下することなく、取り出しやすい。
【００３７】
−引き出し方向の直角方向の強度（ＤＭＤＴ）−
本発明の紙ワイパー３１は、ＪＩＳ  Ｐ  ８１１３に基づく乾燥時の縦方向の引張強さ（引張り速度３００ｍｍ／分で測定）ＤＭＤＴ（Ｄｒｙ  Ｍａｃｈｉｎｅ  Ｄｉｒｅｃｔｉｏｎ  Ｔｅｎｓｉｌｅ  ｓｔｒｅｎｇｔｈ）が４．０Ｎ／２５ｍｍ以上１２．０Ｎ／２５ｍｍ以下であることが好ましく、５．０Ｎ／２５ｍｍ以上１０．０Ｎ／２５ｍｍ以下であることがより好ましい。ＤＭＤＴが上記の範囲であれば、紙ワイパーとして破れ難く、使い勝手も良好となる。
【００３８】
−引き出し方向の強度（ＤＣＤＴ）−
本発明の紙ワイパー３１は、乾燥時の横方向の引張強さ（引張り速度３００ｍｍ／分で測定）ＤＣＤＴ（Ｄｒｙ  Ｃｒｏｓｓ  Ｄｉｒｅｃｔｉｏｎ  Ｔｅｎｓｉｌｅ  ｓｔｒｅｎｇｔｈ）が１．３Ｎ／２５ｍｍ以上６．０Ｎ／２５ｍｍ以下であることが好ましく、１．５Ｎ／２５ｍｍ以上５．０Ｎ／２５ｍｍ以下であることがより好ましい。
【００３９】
−原料−
紙ワイパー３１を構成する１プライのシートは、パルプを主成分とするものであり、製造に使用できるパルプとしては、木材パルプ、古紙パルプ、非木材パルプが挙げられるが、本発明における紙ワイパー３１は、パルプとして木材パルプ１００％から成るものであってもよく、木材パルプの他に、古紙パルプや非木材パルプを含んでいてもよい。目標とする品質を得るためには、針葉樹晒クラフトパルプ（ＮＢＫＰ）３０質量％以上１００質量％以下と、広葉樹晒クラフトパルプ（ＬＢＫＰ）０質量％以上７０質量％以下とからなる木材パルプを原料とすることが好ましく、特に紙粉発生を嫌う用途には繊維長が長いＮＢＫＰ：９０質量％以上とすることが好ましく、ＮＢＫＰ：１００％とすることがより好ましい。
【００４０】
また、上記のパルプ比率の木材パルプ１００質量部に対し、古紙パルプを５０質量部程度まで含有させてもよい。製品の品質上、古紙由来の異物、汚れ、汚染物質の混入が忌避される用途に対しては古紙パルプを配合しないことが最も好ましい。古紙パルプとしてはミルク収納箱等の紙製液体飲料容器由来が好ましい。
【００４１】
なお、紙ワイパー３１に適正な強度を確保するため、通常の手段で原料配合した後、パルプ繊維の叩解処理にて強度調整を行うことができる。なお、乾燥紙力増強剤を使用してもよく、湿潤紙力増強剤を使用することが好ましい。
【００４２】
−紙ワイパーの長辺方向の長さ−
本発明において、紙ワイパーの長辺方向の長さ（シート幅とも称する場合もある）Ｌ３１（図３参照）は、３５０ｍｍ以上５００ｍｍ以下であることが好ましく、３７０ｍｍ以上４８０ｍｍ以下であることがより好ましい。
紙ワイパーの長辺方向の長さＬ３１は、紙ワイパー収納箱の長辺方向の長さＬｃの９０％以上９７％以下であることが好ましい。
なお、本発明の紙ワイパー３１の短辺方向Ｙのシート長（折り畳み前の状態又は折られた紙ワイパー３１を広げた状態での、Ｙ方向における寸法）は、３５０ｍｍ以上５００ｍｍ以下であることが好ましく、４００ｍｍ以上４５０ｍｍ以下であることがより好ましい。シート幅Ｌ３１とシート長を上記範囲にすることにより、本発明の収納箱高さの紙ワイパー収納箱１０に、引き出し性が良好になる。
【００４３】
紙ワイパー３１は、図４に示すように、紙ワイパー収納箱１０内において、略１／４に折り畳まれてポップアップ方式で取り出し可能となっている。本実施形態では、紙ワイパー３１は、いわゆるＷ折りで収納されているが、図５に示すように、Ｖ折りで収納されていてもよい。その場合、一枚目は、折り部３２が開口部に位置するようにすることが好ましい。折り部３２が設けられていることにより、一枚目を容易に取り出すことができる。
【符号の説明】
【００４４】
１０    紙ワイパー収納箱
１０ａ    上面
１１    開裂用ミシン目
１２    蓋部
１３    開口部
１４ａ、１４ｂ    凸状片
１５ａ、１５ｂ    連続する領域
２１ａ、２１ｂ、２２ａ、２２ｂ、２４ａ、２４ｂ、２５ａ、２５ｂ    辺
２３ａ、２３ｂ    角部
３０    紙ワイパー入り収納箱
３１    紙ワイパー
３２    折り部
Ｏ  上面の中心
ＬＣ    紙ワイパー収納箱の長辺方向の長さ
ＷＣ    紙ワイパー収納箱の短辺方向の長さ
ＨＣ    紙ワイパー収納箱の高さ
Ｌ３１    紙ワイパーの長辺方向の長さ
【図１】
2020196490.tif 000003
【図２】
2020196490.tif 000004
【図３】
2020196490.tif 000005
【図４】
2020196490.tif 000006
【図５】
2020196490.tif 000007